(57)【要約】【課題】エアフィルタの清掃を自動的に行うようにした空気調和機の清掃機構制御装置において、着脱可能なエアフィルタを用いた場合、エアフィルタの装着状態を把握する工夫が必要。【解決手段】エアフィルタの装着を確認するための信号を発信するフィルタ装着チェック発信手段と、前記フィルタ装着チェック発信手段からの信号を読取り出力するフィルタ装着チェック読取出力手段を設け、前記フィルタ装着チェック読取出力手段からの出力により前記清掃機構を駆動させることにより、清掃機構の駆動状況からエアフィルタの装着状態を把握することができる。【選択図】図２
2006132862.tif 000002
【特許請求の範囲】
【請求項１】
空気中の塵埃を捕集する着脱可能なエアフィルタと、前記エアフィルタの風上側に、前記エアフィルタに沿って駆動可能な清掃機構と、送風機構を具備した空気調和機において、前記エアフィルタの装着を確認するための信号を発信するフィルタ装着チェック発信手段と、前記フィルタ装着チェック発信手段からの信号を読取り出力するフィルタ装着チェック読取出力手段を設け、前記フィルタ装着チェック読取出力手段からの出力により前記清掃機構を駆動させることを特徴とする空気調和機の清掃機構制御装置。
【請求項２】
吸引ノズルと、前記吸引ノズルに連通された吸引装置と、排気ダクトを具備したことを特徴とする、請求項１に記載の空気調和機の清掃機構制御装置。
【請求項３】
清掃機構が前記エアフィルタの通風路上にある場合に、前記清掃機構を通風路外に駆動させるための信号を発信するフィルタリセット発信手段と、前記フィルタリセット発信手段からの信号を読取り出力するフィルタリセット読取出力手段を設け、フィルタリセット読取出力手段からの出力により前記清掃機構を駆動させることを特徴とする、請求項１または２に記載の空気調和機の清掃機構制御装置。
【発明の詳細な説明】
【技術分野】
【０００１】
本発明は、エアフィルタの清掃を自動的に行うようにした空気調和機の清掃機構制御装置に関するものである。
【背景技術】
【０００２】
現在広く使用されている空気調和機において、空気中の塵埃を捕集するために取り付けられているエアフィルタは、ユーザーまたは設備業者により定期的に清掃によるメンテナンスを行っていることが主流であったが、近年の空気調和機の普及と省エネ推進の高まりから、エアフィルタの清掃を自動的に行うようにした空気調和機の清掃機構が考えられるようになってきた。
【０００３】
モータで繰出し巻き取られる帯状のエアフィルタと清掃機構を有した装置（例えば特許文献１参照）や、エアフィルタと清掃機構を一体にした装置（例えば特許文献２参照）等が知られており、それらの装置を定期的または強制的に操作させるような清掃機構の制御方法が考えられている。
【特許文献１】特開２００１-９９４７９号公報（第３から第４頁、第１図）
【特許文献２】実開平６−３２９２６号公報
【発明の開示】
【発明が解決しようとする課題】
【０００４】
しかしながら、前記従来の構成では、清掃機構が一体式となっているために、エアフィルタを清掃機構から着脱することが容易でない。
【０００５】
そのため、エアフィルタにタバコのヤニや油成分等が付着した場合には水または洗剤等による洗浄が必要になってくるが、本構成では清掃機構一体で洗浄しなければならず、困難を有する。仮に、洗浄機構を合体させたとしても、構成が更に複雑になるばかりか、溶剤の補給等のメンテナンスも必要になり利便性に欠ける。
【０００６】
よって長期的に蓄積する油成分等の汚れは、エアフィルタを外して直接に洗浄することの方が実用的で、エアフィルタの着脱を可能にした構成とした方がよい。
【０００７】
そしてその構成を採った場合、エアフィルタの着脱に際して人的影響が含まれるようになるため、エアフィルタの装着状態を把握するとともに、装着性を容易にする工夫が必要になってきた。
【０００８】
本発明は、前記課題を解決するもので、エアフィルタの清掃を自動的に行うようにした空気調和機の清掃機構制御装置に着脱可能なエアフィルタを用いた場合において、清掃機構の駆動状況からエアフィルタの装着状態を把握することができる空気調和機の清掃機構制御装置を提供することを目的とする。
【課題を解決するための手段】
【０００９】
前記従来の課題を解決するために、本発明の空気調和機の清掃機構制御装置は、空気中の塵埃を捕集する着脱可能なエアフィルタと、前記エアフィルタの風上側に、前記エアフィルタに沿って駆動可能な清掃機構と、送風機構を具備した空気調和機において、前記エアフィルタの装着を確認するための信号を発信するフィルタ装着チェック発信手段と、前記フィルタ装着チェック発信手段からの信号を読取り出力するフィルタ装着チェック読取出力手段を設け、前記フィルタ装着チェック読取出力手段からの出力により前記清掃機構
を駆動させることを特徴としたものである。
【００１０】
上記構成をなすことにより、清掃機構の駆動状況からエアフィルタの装着状態を確認することができる。
【００１１】
さらに本発明の空気調和機の清掃機構制御装置は、前記清掃機構が前記エアフィルタの通風路上にある場合に、前記清掃機構を通風路外に駆動させるための信号を発信するフィルタリセット発信手段と、前記フィルタリセット発信手段からの信号を読取り出力するフィルタリセット読取出力手段を設け、前記フィルタリセット読取出力手段からの出力により前記清掃機構を駆動させることを特徴としたものである。
【００１２】
上記手段を用いることにより、清掃機構をエアフィルタの通風路外に駆動させるため、フィルタの着脱を容易に行えるようになる。
【発明の効果】
【００１３】
本発明の空気調和機の清掃機構制御装置は、エアフィルタの着脱に関して、装着のチェックと着脱が容易にできるため、ユーザの利便性を高めることができる。
【発明を実施するための最良の形態】
【００１４】
第１の発明は、空気中の塵埃を捕集する着脱可能なエアフィルタと、前記エアフィルタの風上側に、前記エアフィルタに沿って駆動可能な清掃機構と、送風機構を具備した空気調和機において、前記エアフィルタの装着を確認するための信号を発信するフィルタ装着チェック発信手段と、前記フィルタ装着チェック発信手段からの信号を読取り出力するフィルタ装着チェック読取出力手段を設け、前記フィルタ装着チェック読取出力手段からの出力により前記清掃機構を駆動させるので、清掃機構の駆動状況からエアフィルタの装着状態を容易に確認することができる。
【００１５】
第２の発明は、特に第１の発明において、吸引ノズルと、前記吸引ノズルに連通された吸引装置と、排気ダクトを具備した清掃装置であり、吸引処理した塵埃を自動廃棄させる構成とっているため、エアフィルタ近辺の埃が取り除かれて清潔であり、エアフィルタ着脱操作がやり易くなり、フィルタ装着チェックでの成功の確立が高くなる。
【００１６】
第３の発明は、特に第１または第２の発明において、前記清掃機構が前記エアフィルタの通風路上にある場合に、前記清掃機構を通風路外に駆動させるための信号を発信するフィルタリセット発信手段と、前記フィルタリセット発信手段からの信号を読取り出力するフィルタリセット読取出力手段を設け、前記フィルタリセット読取出力手段からの出力によりにより前記清掃機構をエアフィルタの通風路外に駆動させるので、フィルタの着脱操作をより容易に行えるようになる。
【００１７】
以下、本発明の実施の形態について、図面を参照しながら説明する。なお、この実施の形態によって本発明が限定されるものではない。
【００１８】
（実施の形態１）
図１は、本発明の清掃機構の概略図、図２は本発明第１の実施の形態における制御のブロック線図、図３は制御のフローチャートを示すものである。
図１において、着脱可能なエアフィルタ１１の清掃を自動的に行うように、清掃部分１３の両端は左右方向に移動が可能となるようなガイド部１２を有しているため、エアフィルタに沿って、左右方向に移動ができる構成をとっている。
【００１９】
図２、図３において、空気調和機の電源ＯＮ（ステップ３１）後、リモコン２１よりフ
ィルタ装着チェックの信号が発信された（ステップ３２）場合、マイコン２４によりフィルタ装着チェックの信号が受信され（ステップ３３）、清掃機構２７が駆動し（ステップ３４）、清掃機構の駆動状況からフィルタの装着状態を確認する。
【００２０】
以上のように、本実施の形態においては、フィルタ装着チェック発信手段と、前記フィルタ装着チェック発信手段からの信号により、前記清掃機構を駆動させるので、清掃機構の駆動状況からエアフィルタの装着状態の確認をリモコン操作ひとつで容易に行える。
【００２１】
また、このフィルタの装着状態のチェックは、ユーザーがフィルタ着脱時に使用するばかりでなく、空気調和機の据付時に据付者が利用して、初期の据付状態でのフィルタ装着不良も防止することができる。
【００２２】
（実施の形態２）
本発明の実施の形態２は、図１において清掃部１３が吸引式のノズルの形態をとるものである。
【００２３】
吸引ノズルには吸引ダクト１４と吸引装置１５、および排気ダクト１６が連通され、吸引ノズルから吸い込まれた埃は、排気ダクトから放出されるため、エアフィルタ近辺の埃が取り除かれるため清潔になる。
以上のように、本実施の形態においては、吸引ノズルと、前記吸引ノズルに連通された吸引装置と、排気ダクトを具備した清掃装置であり、吸引処理した塵埃を自動廃棄させる構成としているため、エアフィルタ近辺の埃が取り除かれて清潔であり、エアフィルタ着脱操作がやり易くなり、フィルタ装着チェックでの成功の確立が高くなる。
【００２４】
（実施の形態３）
図２、図３において、空気調和機の電源ＯＮ（ステップ３１）後、リモコン２１よりフィルタリセットの信号が発信された（ステップ３５）場合、マイコン２４によりフィルタリセットの信号が受信され（ステップ３６）、清掃機構２７が駆動し（ステップ３７）、フィルタを通風路外に移動させる。
【００２５】
以上のように、本実施の形態においては、前記清掃機構が前記エアフィルタの通風路上にある場合に、前記清掃機構を通風路外に駆動させるための信号を発信するフィルタリセット発信手段と、前記フィルタリセット発信手段からの信号を読取り出力するフィルタリセット読取出力手段を設け、前記フィルタリセット読取出力手段からの出力によりにより前記清掃機構をエアフィルタの通風路外に駆動させるので、フィルタの着脱操作をより容易に行えるようになる。
【００２６】
また、このフィルタリセット動作は、フィルタ着脱時にするばかりでなく、通常運転時で空気調和機の通風路上に清掃部１３があった場合にも利用でき、通風路外に清掃部を移動させることで、通風路の通風抵抗を小さくでき空気調和の効率を向上させることができる。
【産業上の利用可能性】
【００２７】
以上のように本発明にかかる空気調和機の清掃機構制御装置は、空気中の塵埃を捕集する着脱可能なエアフィルタと、前記エアフィルタの風上側に、前記エアフィルタに沿って駆動可能な清掃機構と、送風機構を具備し、前記エアフィルタの装着を確認するための信号を発信するフィルタ装着チェック発信手段と、前記フィルタ装着チェック発信手段からの信号を読取り出力するフィルタ装着チェック読取出力手段を設け、前記フィルタ装着チェック読取出力手段をもち、エアフィルタの装着状態をチェックすることができるので、空気清浄機や加湿機等のフィルターを装着した機器にも適用できる。
【図面の簡単な説明】
【００２８】
【図１】本発明の清掃機構の概略図
【図２】本発明の実施の形態１〜３における制御のブロック線図
【図３】本発明の実施の形態１〜３における制御のフローチャート
【符号の説明】
【００２９】
１１  エアフィルタ
１２  清掃機構のガイド部
１３  吸引ノズル
１４  吸引ダクト
１５  吸引装置
１６  排気ダクト
２１  リモコン
２４  マイコン
【図１】
2006132862.tif 000003
【図２】
2006132862.tif 000004
【図３】
2006132862.tif 000005